(57)【特許請求の範囲】
【請求項１】
外部映像音響機器の映像・音声出力プラグに接続する映像・音声入力プラグを有する入力部と、前記入力部から入力された外部映像音響機器の映像・音声信号が画面表示及びスピーカー出力される映像音声出力部とを備え、前記入力部の一部に前記映像音声出力部が回動自在に保持され、前記映像・音声出力プラグは前記入力部に対し回動自在に装着されたことを特徴とする映像表示装置。
【発明の詳細な説明】
【０００１】
【産業上の利用分野】
本発明は、カメラ一体型ビデオテープレコーダー（以下、カメラ一体型ＶＴＲと記す。）などの映像音声出力端子に接続して用いる映像表示装置に関するものである。
【０００２】
【従来の技術】
近年、カメラ一体型ＶＴＲで記録再生する場合、カメラ一体型ＶＴＲに内蔵されたビューファインダーを用いて映像を見るのは非常に見づらいため、ビューファインダーよりもひとまわり画面サイズが大きな、液晶モニターなどをカメラ一体型ＶＴＲに接続して記録再生を行う方法がある。
【０００３】
以下、従来の映像表示装置について、図面を用いて説明する。
図２１は従来の映像表示装置の構成を示す斜視図である。図２１において、１１０はカメラ一体型ＶＴＲ本体、１１４は映像表示装置であり、カメラ一体型ＶＴＲ本体１１０と映像表示装置とは固定具１１２の両端にネジ１１１及び１１３によって固定されている。１１５はカメラ一体型ＶＴＲ１１０の出力端子１１６と映像表示装置１１４の入力端子１１７とを接続する連結コード、１１８は固定具１１２上に設けられ連結コード１１５を固定しているコード保持部、１１９は映像表示装置１１４に設けられた映像表示部、１２０は音声を出力するスピーカー、１２１はカメラ一体型ＶＴＲ本体１１０に設けられたビューファインダーである。
【０００４】
以上のように構成された従来の映像表示装置について、以下その動作について説明する。
【０００５】
まず、カメラ一体型ＶＴＲ１１０の電源１１０ａをＯＮにし、また映像表示装置１１４の電源１１４ａもＯＮにする。すると、カメラ一体型ＶＴＲ１１０のカメラ部１１０ｂで撮影している映像およびマイク（図示せず）で集音した音声が、連結コード１１５を介して映像表示装置１１４に入力されて、映像信号は映像表示部１１９に画面表示され、音声信号はスピーカー１２０から出力される。よって、使用者は撮影の際、ビューファインダー１２１を覗かなくても、映像表示部１１９を見ながら撮影を行うことができるものである。
【０００６】
【発明が解決しようとする課題】
しかしながら上記従来の構成では、カメラ一体型ＶＴＲ１１０と映像表示装置１１４とを接続するために、固定具やネジを用いなければならず、不意の撮影チャンスの時には、その取り付けの煩雑さにより間に合わないため、撮影チャンスを失ってしまうということが多かった。よって、撮影の有無を問わずカメラ一体型ＶＴＲ１１０と映像表示装置１１４とを常時接続しておく方法があるが、装置が大型化して持ち運びにくいという問題点があった。
【０００７】
また、撮影場所に赴くときにも収納ケースなどに固定具やネジを収納しなければならず、荷物として負担になっていた。
【０００８】
さらに、撮影中に連結コード１１５が邪魔にならないように、コード保持部１１８にて型どりする必要があった。
【０００９】
本発明は上記のような課題を解決するもので、カメラ一体型ＶＴＲと映像表示装置との接続が容易に行え、かつ実用性の高い映像表示装置を提供することを目的とする。
【００１０】
【課題を解決するための手段】
上記課題を解決するために本発明の映像表示装置は、外部映像機器の映像・音声出力プラグに接続する映像・音声入力プラグを有する入力部と、入力部から入力された外部映像機器の映像・音声信号が画面表示及びスピーカー出力される映像音声出力部とを備え、入力部の一部に映像音声出力部が回動自在に保持され、映像・音声出力プラグは入力部に対し回動自在に装着されたものである。
【００１３】
【作用】
上記構成により、映像・音声信号の伝送手段である入力プラグをあらかじめ内蔵しているため、信号伝送用の連結コードを用いることなく、外部映像機器の映像・音声信号を得ることができる。また、入力部にはプラグを利用しているため、その装着の保持力だけで映像表示装置は外部映像機器に対し、強固に装着されるので、固定具やネジなどの連結部品が不要になる。
【００１４】
また、入力プラグ部は突出回動するため、外部映像機器の出力端子の位置・方向を問わず、接続することが可能となるものである。
【００１５】
【実施例】
（実施例１）
以下、本発明の第１の実施例について図面を用いて説明する。
【００１６】
図１は本実施例の映像表示装置の外観斜視図、図２は同背面図、図３は本実施例の映像表示装置を折り畳んだ状態を示す外観斜視図、図４は本実施例の映像表示装置をカメラ一体型ＶＴＲに装着した状態を示す斜視図、図５は本実施例の映像表示装置の側面断面図である。
【００１７】
図１において、１は映像表示本体部、２は映像表示本体部１にその一端が回動自在に装着された入力部、３は映像表示本体部１に設けられ画像を表示する映像表示部、４は映像表示本体部１に設けられ音声を出力するスピーカー、６はスピーカー４の前面に複数設けられた細孔、７は映像表示部３の表面の傷付き防止及び汚れ防止のために装着された透明パネル、８は出力音声の音量を調節するためのボリューム、９及び１０は入力部２のカバーパネル、１１及び１２は入力部２に設けられ映像信号及び音声信号を入力するための映像入力プラグと音声入力プラグである。図２において、１３は映像表示本体部１の裏パネル、１４はその内部に電池１５を備えた電池カバー、１６は映像表示本体部１と入力部２との連結部であり、入力部２の映像表示本体部１に対する保持角度は任意に設定することができる。図４において、１７は本装置を使用する一実施例であるカメラ一体型ＶＴＲ、１８はカメラ一体型ＶＴＲ１７に設けられ映像音声信号を出力する出力端子である。図５において、１９は映像表示部３で映像を表示する際にバックライトとして使用する蛍光管、２０は蛍光管１９の上部に配された反射パネル、２１は蛍光管１９の下部に配された反射カバー、２２は信号処理回路、２３は映像入力プラグ１１及び音声入力プラグ１２が固着されたプラグ取付金具、２４は映像入力プラグ１１及び音声入力プラグ１２に入力された映像音声信号を信号処理回路２２へ入力するハーネス、２５は映像表示部本体１と入力部２とが回動するための支軸、２６は支軸２５によって回動した映像表示本体部１と入力部２の位置が強固に位置決めするように設けられたフリクションである。
【００１８】
以上のように構成された本実施例の映像表示装置について、以下その動作について説明する。
【００１９】
図４に示すように、入力部２の映像入力プラグ１１と音声入力プラグ１２とが、カメラ一体型ＶＴＲ１７の出力端子１８に接続されると、カメラ一体型ＶＴＲ１７で撮影している映像・音声信号、またはカメラ一体型ＶＴＲ１７で再生している映像・音声信号が、入力部２に入力されてくる。入力された信号は図５に示すようにハーネス２４によって信号処理回路２２に入力される。そして、音声信号がスピーカー４から出力され、映像信号は蛍光管１９のバックライトにより、映像表示部３に表示される。この時、映像表示本体部１と入力部２とは支軸２５を軸に回動自在なため、その角度を撮影者が任意に設定できるものである。
【００２０】
以上のように本実施例によれば、カメラ一体型ＶＴＲなどの外部機器に接続でき、映像表示本体部１と入力部２とが回動自在に保持されているため、使用者の任意の角度で映像を見ることができるものである。
【００２１】
（実施例２）
以下、本発明の第２の実施例について、以下図面を用いて説明する。
【００２２】
図６は本実施例の映像表示装置の外観斜視図、図７は同背面図、図８は本実施例の映像表示装置を折り畳んだ状態を示す外観斜視図、図９は本実施例の映像表示装置をカメラ一体型ＶＴＲに装着した状態を示す斜視図、図１０は入力部の分解斜視図、図１１は図７のＡ１−Ａ２部分の断面図、図１２は図７のＢ１−Ｂ２部分の断面図、図１３は本実施例の映像表示装置の側面断面図である。
【００２３】
図６において、１は映像表示本体部、２は映像表示本体部１にその一端が回動自在に装着された入力部、３は映像表示本体部１に設けられ画像を表示する映像表示部、４は映像表示本体部１に設けられ音声を出力するスピーカー、６はスピーカー４の前面に複数設けられた細孔、７は映像表示部３の表面の傷付き防止及び汚れ防止のために装着された透明パネル、８は出力音声の音量を調節するためのボリューム、３９及び４０は入力部２に設けられ映像信号及び音声信号を入力するための映像入力プラグと音声入力プラグ、４１は映像入力プラグ３９及び音声入力プラグ４０が設けられたプラグケース、４２及び４３は入力部２を構成しているカバーである。図７において、４４は映像表示本体部１の裏パネル、４５はその内部に電池４６を備えた電池カバー、４７は映像表示本体部１と入力部２との連結部であり、入力部２の映像表示本体部１に対する保持角度は任意に設定することができる。図９において、４８は本装置を使用する一実施例であるカメラ一体型ＶＴＲ、４９はカメラ一体型ＶＴＲ４８に設けられ映像音声信号を出力する出力端子である。図１０において、５０は映像入力プラグ３９と音声入力プラグ４０とが一体となったプラグ取付金具、５１及び５２はプラグケース、５３はプラグケース５１及び５２を一体固定するためのねじ、５４はプラグケースが回動する軸となる支軸、５５はカバー４２に設けられたＵ字状切欠、５６は押え具、５７は押え具５６をカバー４２内部に固定するためのねじ、５８は固定レバー、５９は固定レバー５８の端部に設けられたバネ、６０は固定レバー５８を押圧する固定レバー押え具、６１は固定レバー押え具６０をカバー４２内部に固定するためのねじ、６２は固定つまみ、６３はカバー４３をカバー４２に固定するためのねじである。図１１及び図１２において、６４は固定レバー５８に設けられた案内テーパ、６６はカバー４２の平面部である。図１３において、６７は映像表示部３で映像を表示する際にバックライトとして使用する蛍光管、６８は蛍光管６７の上部に配された反射パネル、６９は蛍光管６７の下部に配された反射カバー、７０は信号処理回路、７１は映像入力プラグ３９及び音声入力プラグ４０に入力された映像音声信号を信号処理回路７０へ入力するハーネス、７２は映像表示部本体１と入力部２とが回動するための支軸、７３は支軸７２によって回動した映像表示本体部１と入力部２の位置が強固に位置決めするように設けられたフリクションである。
【００２４】
以上のように構成された本実施例の映像表示装置について、以下その動作について説明する。
【００２５】
図９に示すように、入力部２の映像入力プラグ３９と音声入力プラグ４０とが、カメラ一体型ＶＴＲ４８の出力端子４９に接続されると、カメラ一体型ＶＴＲ４８で撮影している映像・音声信号、またはカメラ一体型ＶＴＲ４８で再生している映像・音声信号が、入力部２に入力されてくる。入力された信号は図１３に示すようにハーネス７１によって信号処理回路７０に入力される。そして、音声信号がスピーカー４から出力され、映像信号は蛍光管６７のバックライトにより、映像表示部３に表示される。この時、映像表示本体部１と入力部２とは支軸７２を軸に回動自在なため、その角度を撮影者が任意に設定できるものである。
【００２６】
また、図１１に示すように、ばね５９で常に加圧された固定レバー５８の先端には案内テーパ６４が設けられており、プラグケース部４１を倒すことによりプラグケース部４１が案内テーパ６４に当接し、固定レバー５８は一旦後退した後に、ばね５９の加圧力によりプラグケース部４１に設けられた切欠７４に嵌合され、プラグケース部４１は固定レバー５８とカバー４２の平面部６６との間で固定される。固定解除は、任意に固定レバー５８をばね５９の加圧力に打ち勝つ力で後退されることにより可能となる。
【００２７】
さらに図１０及び図１２において、固定つまみ６２を矢印Ａ方向へ摺動させることにより、固定つまみ６２とカバー４３との当接面と、プラグケース部４１とカバー４３との当接面とがプラグケース部４１の支軸５４の両側に構成されるための固定が可能となる。固定解除は前述とは逆方向に固定つまみ６２を摺動させることにより可能となる。
【００２８】
以上のように本実施例によれば、プラグケース部４１が回動自在なため、カメラ一体型ＶＴＲの出力端子の位置に制約されず接続可能になるものである。
【００２９】
（実施例３）
以下、本発明の第３の実施例について図面を用いて説明する。
【００３０】
図１４は本実施例の映像表示装置の斜視図、図１５は同背面図、図１６は入力部を収納した状態を示す斜視図、図１７は入力部を回動させた状態を示す斜視図、図１８は本装置をカメラ一体型ＶＴＲに装着した状態を示す斜視図、図１９は本装置の側面断面図、図２０は入力部の要部斜視図である。
【００３１】
図において、８１は映像表示本体部、８２は映像表示本体部８１の側面に設けられた入力部、８３は映像表示本体部８１に設けられ映像を表示する映像表示部、８４は音声信号を出力するスピーカー、８５は映像表示本体部８１の表パネル、８６はスピーカーの前面に複数設けられた細孔、８７は映像表示部８３の表面に傷・汚れ防止のために装着された透明パネル、８８はスピーカー８４より出力される音声の音量を調節するためのボリューム、８９及び９０はその内部に映像入力プラグ９１及び音声入力プラグ９２とを備えたカバーパネル、９３は映像表示本体部８１の裏パネル、９４はその内部に電池９５を備えた電池カバー、９６は入力部８２を映像表示本体部８１内に収納するための摺動部、９８はカメラ一体型ＶＴＲ、９９はカメラ一体型ＶＴＲに設けられた出力端子、１００は映像表示部８３のバックライトとして用いられる蛍光管、１０１は蛍光管１００の上部に配された反射パネル、１０２は蛍光管１００の下部に配された反射カバー、１０３は信号処理回路、１０４はプラグ取付金具、１０５は映像入力プラグ９１及び音声入力プラグ９２から入力された信号を信号処理回路１０３へ入力するためのハーネス、１０６は摺動部９６が摺動する時の軸になる摺動シャフト、１０７は摺動部９６を摺動させるときに使用するつまみである。
【００３２】
以上のように構成された本実施例について、以下その動作について説明する。まず、入力部８２が図１６に示すように映像表示本体部８１に収納されている状態から、使用状態にするためにはつまみ１０７を矢印Ｂ方向へ摺動させ、図１４のように摺動部９６及び入力部８２を突出させる。次に、入力部８２の映像入力プラグ９１及び音声入力プラグ９２を、図１８のようにカメラ一体型ＶＴＲ９８の出力端子９９に接続する。この時、入力部８２は図１７のように音声入力プラグ９２を軸に回動自在なため、使用者の任意の方向に位置決めしてカメラ一体型ＶＴＲ９８に装着できる。
【００３３】
そして、入力部８２の映像入力プラグ９１と音声入力プラグ９２とが、カメラ一体型ＶＴＲ９８の出力端子９９に接続されると、カメラ一体型ＶＴＲ９８で撮影している映像・音声信号、またはカメラ一体型ＶＴＲ９８で再生している映像・音声信号が、入力部８２に入力されてくる。入力された信号は図１９に示すように、ハーネス１０５によって信号処理回路１０３に入力される。そして、音声信号がスピーカー８４から出力され、映像信号は蛍光管１００のバックライトにより、映像表示部８３に表示される。
【００３４】
以上のように本実施例によれば、入力部８２が映像表示本体部８１に収納可能でかつ、先端が回動自在なため、カメラ一体型ＶＴＲなどの外部機器に装着して使用した時、使用者の任意の角度に設定できるものである。
【００３５】
【発明の効果】
以上のように本発明によれば、映像表示装置に入力部を備えることにより、カメラ一体型ＶＴＲなどの外部映像機器を容易に着脱することができ、よって撮影チャンスを逃すことなく撮影を行うことが出来るものである。また、映像表示本体部が回動自在なため、使用者の所望の角度に設定できるので実用性も向上する。さらに、映像・音声出力プラグが入力部に対して回動自在なため、カメラ一体型ＶＴＲの出力端子の位置に制約されず接続可能になる。
【図面の簡単な説明】
【図１】本発明の映像表示装置の第一の実施例の外観斜視図
【図２】同実施例における背面図
【図３】同実施例における映像表示本体部を折り畳んだ状態を示す斜視図
【図４】同実施例の映像表示装置をカメラ一体型ＶＴＲに装着した状態を示す斜視図
【図５】同実施例における側面断面図
【図６】本発明の第２の実施例の外観斜視図
【図７】同実施例における背面図
【図８】同実施例における映像表示本体部を折り畳んだ状態を示す斜視図
【図９】同実施例の映像表示装置をカメラ一体型ＶＴＲに装着した状態を示す斜視図
【図１０】同実施例における入力部の分解斜視図
【図１１】同実施例における図７のＡ１−Ａ２部分の断面図
【図１２】同実施例における図７のＢ１−Ｂ２部分の断面図
【図１３】同実施例における側面断面図
【図１４】本発明の第３の実施例の外観斜視図
【図１５】同実施例における背面図
【図１６】同実施例における入力部を収納した状態を示す斜視図
【図１７】同実施例における入力部を回動した状態を示す斜視図
【図１８】同実施例の映像表示装置をカメラ一体型ＶＴＲに装着した状態を示す斜視図
【図１９】同実施例における側面断面図
【図２０】同実施例における入力部の要部斜視図
【図２１】従来の映像表示装置とカメラ一体型ＶＴＲとを接続した状態を示す斜視図
【符号の説明】
１  映像表示本体部
２  入力部
１１  映像入力プラグ
１２  音声入力プラグ
【図１】
0003617099.tif 000002
【図２】
0003617099.tif 000003
【図３】
0003617099.tif 000004
【図４】
0003617099.tif 000005
【図５】
0003617099.tif 000006
【図６】
0003617099.tif 000007
【図７】
0003617099.tif 000008
【図８】
0003617099.tif 000009
【図９】
0003617099.tif 000010
【図１０】
0003617099.tif 000011
【図１１】
0003617099.tif 000012
【図１２】
0003617099.tif 000013
【図１３】
0003617099.tif 000014
【図１４】
0003617099.tif 000015
【図１５】
0003617099.tif 000016
【図１６】
0003617099.tif 000017
【図１７】
0003617099.tif 000018
【図１８】
0003617099.tif 000019
【図１９】
0003617099.tif 000020
【図２０】
0003617099.tif 000021
【図２１】
0003617099.tif 000022